(57)【特許請求の範囲】
【請求項１】
コンベアベルトのリターン側、ベルトの幅方向に配設された保持軸の上にスクレーパの支持板が立設されており、その支持板に、弾性体で形成された板体のスクレーパが取り付けられており、そのスクレーパの上縁を前記ベルトの表面に当接させて、ベルト表面の残留物を掻き取るようになったベルトクリーナの前記スクレーパが、断面「く」の字に形成されており、その「く」の字の下側の辺において、その厚み方向で支持板を挟んでそれを内包した状態で、その支持板に固定手段で固定されており、「く」の字の内側をベルトの表面に対向させた姿勢でクリーニングを行う形態のベルトクリーナにおいて、
前記支持板の前記スクレーパに挟まれた部分が、前記スクレーパの「く」の字とは反対向きの「く」の字形状を成しており、その支持板の「く」の字の上側の辺の部分で、その上側の辺の部分とベルトとの当接縁の間にあるスクレーパを支えるようになっていることを特徴とするベルトクリーナ。
【請求項２】
上記スクレーパの保持軸がその軸回りに回動可能に支持されているとともに、バネによって、上記スクレーパの当接縁を上記ベルトに押しつける向きに回動するよう付勢されていることを特徴とする請求項１に記載のベルトクリーナ。
【発明の詳細な説明】
【０００１】
【発明の属する技術分野】
この発明は、ベルトクリーナに係り、詳しくはそのスクレーパの構造の改良に関する。
【０００２】
【従来の技術】
コンベアベルトのクリーナは、ベルトのリターン側において、スクレーパの保持軸をベルトに対し、その幅方向に平行にして対向配置させ、その保持軸の上に立設されたスクレーパの上縁を移動中のベルトの表面に当接させて、ベルト表面の付着物を掻き取るようにしたものである。そのクリーナの現行のものの一例として、図５（ａ）に要部だけを取り出して模式的に示したものがある。
【０００３】
この例のクリーナＣ2 のスクレーパ１１は、弾性体、例えば、ウレタンゴムを用いて、図の一点鎖線で示すように、断面「く」の字（反「く」の字）に形成されており、その保持軸１２に直接取り付けられているのではなく、保持軸１２の上面に取り付けられたスクレーパの支持板１３に取り付けられて、間接的に保持軸１２に取り付けられている。
【０００４】
その取り付け形態として、スクレーパ１１の「く」の字の下側の辺の下面の厚み方向中央から、その下側の辺に沿って溝１１ｃが設けられており、この溝１１ｃが設けられた「く」の字の下側の辺の部分が取り付け部１１ａとなっており、「く」の字の上側の辺の方が、その上縁をベルトＷの表面に当接させて、ベルトＷ表面の付着物を掻き取る作用部１１ｂとなっている。そして、その溝１１ｃの部分で、前記保持軸１２の上に立設された支持板１３に被せて、支持板１３を内包する形でその支持板１３にネジ止めで取り付けられている。
【０００５】
使用時は、図に示したように、支持板１３の板面を垂直にして前記スクレーパ１１の作用部１１ｂの上縁（当接縁）をプーリＰの水平方向の直径の端部近傍のベルトＷ表面に当接させてクリーニングを行う。
【０００６】
スクレーパ１１を上記のような断面「く」の字形状にし、また、上記のような形で支持板１３に取り付けているのは、以下のような理由による。
【０００７】
すなわち、図５（ｂ）に示したような旧来のクリーナＣ3 では、保持軸２２の上に立設した支持板２３の一方の面に、ウレタンで形成された平板状のスクレーパ２１の下部を面着させ、その面着部をボルト２３ｂで固定させているだけであったので、ベルトＷとスクレーパ２１の対向面が接近しており、掻き取った付着物Ｇがスクレーパ２１とベルトＷの隙間に堆積し易く、クリーニング効果が短期に減退するとともに、付着物はスクレーパ２１を支持板２３に固定するボルト２３ｂの上にも堆積して固まるので、スクレーパ２１の取り替えの際の清掃が非常に手間なものとなっていた。
【０００８】
しかるに、先に例示した現行のクリーナＣ2 では、「く」の字形状のスクレーパ１１が、その「く」の字の下側の辺の取り付け部１１ａが、保持軸１２から垂直に立ち上がった支持板１３に平行に取り付けられ、「く」の字の上側の辺を成すスクレーパの作用部１１ｂは、その取り付け部１１ａに対して傾いているので、作用部１１ｂの上縁（当接縁）をベルトＷ表面に当接させてセットすると、取り付け部１１ａとベルトＷの間には水平方向に大きな空間が生じるので、作用部１１ｂの上縁（当接縁）で掻き取られたベルトＷ表面の付着物Ｇは、そのまま下方に落下して、取り付け部１１ａに堆積しにくいようになっている。
【０００９】
【発明が解決しようとする課題】
しかしながら、そのように改良された現行のクリーナＣ2 にも、以下のような問題がある。すなわち、スクレーパ１１が上記のように「く」の字状を成しているので、取り付け部１１ａに対する付着物Ｇの堆積の問題は解消できたが、その「く」の字形状故、スクレーパ１１がプーリーＰ側へ倒れ易くなっている。
【００１０】
特に、付着物ＧがプーリーＰ表面に強固に付着していた場合には、スクレーパ１１に過大な力が作用して、スクレーパ１１がプーリーＰ側に倒れ込んで、プーリーＰ、スクレーパ１１とも、甚大な損傷を招くことになる。
【００１１】
そこで、この発明の課題は、上記のような形態のクリーナのスクレーパが、プーリー側へ倒れ込みにくくすることにある。
【００１２】
【課題を解決するための手段】
上記課題を解決するために、この発明は、前記スクレーパが、断面「く」の字に形成されており、その「く」の字の下側の辺において、その厚み方向で支持板を挟んでそれを内包した状態で、その支持板に固定手段で固定されており、「く」の字の内側をベルトの表面に対向させた姿勢でクリーニングを行う形態のベルトクリーナにおいて、前記支持板の前記スクレーパに挟まれた部分が、前記スクレーパの「く」の字とは反対向きの「く」の字形状を成している構成のものとしたのである。
【００１３】
このようにしたので、支持板とベルトの間のスクレーパは、その支持板の、前記断面「く」の字の上側の辺の部分によって、その部分の「面」でしっかりと支えられるので、従来のような、断面が「垂直方向の直線」状の支持板で支えられるのとは違って、スクレーパの振動が抑制されるので、プーリー側への倒れ込みも抑制され、また、付着物の掻き取りも効率良く行われる。
【００１４】
上記構成において、前記スクレーパの保持軸を、その軸回りに回動可能に支持するとともに、バネによって、前記スクレーパの作用部上縁（当接縁）を前記ベルトに押しつける向きに回動するように付勢すれば、当接縁が磨耗してきても、常に、ベルト側に押しつけられるので、クリーニング作用の急な減退を抑制することができる。
【００１５】
【発明の実施の形態】
以下、図を参照してこの発明の実施の形態を説明する。図１は、実施形態のクリーナの正面図、図２は図１のＡ−Ａ拡大断面図、図３は要部斜視図、図４は使用状態図を示したものである。
【００１６】
図１および図２に示すように、このクリーナＣ1 は、スクレーパ１が取り付けられた保持軸２が、その両端において、図示省略した基台に固定されたブラケット３に支持されている。両ブラケット３、３には、それぞれ同じ寸法形状の円筒の軸受４が溶接で固定されており、前記保持軸２は、この軸受４に挿嵌可能となった円管で形成されており、その両端が前記軸受４に挿嵌されて、その軸芯周りに回動可能に軸支されている。
【００１７】
その保持軸２の、両軸受４、４の外側には、その軸受４に接して、抜け止め用の円筒５が挿嵌されており、その円筒５の周面に半径方向からボルト５ｂが螺合されており、それが円筒５を貫通した端部で保持軸２を押圧することにより、抜け止め用の円筒５が保持軸２に取り付けられるようになっている。この抜け止め用の円筒５はその「抜け止め」の役割とともに、以下に示すような部材と協働して、前記保持軸２を、常に一方の向きに回転するように付勢する回動機構の一部を担っている。これは、クリーニング中、この保持軸２に取り付けられる後述のスクレーパ１を、常にベルトＷに当接させておくためのものであるが、次に、その回動機構の構成について説明する。
【００１８】
前記抜け止め用の円筒５の上面には、その円筒５の軸に直交する方向に板体の加圧レバー６の一端が溶接で固定されている。この加圧レバー６の他端側は、その円筒５の外側に突出しており、その突出した端部には、端面から内側に向かって、所定の長さのＵ溝６ｕが形成されている。このＵ溝６ｕに、前記ブラケット３から水平に突設された取り付け板３ａに螺合して立設されたバネのガイド軸７（寸切りボルト）が挿通されている。そして、そのガイド軸７の前記取り付け板３ａのすぐ上には丸板７ｗが溶接で固定されており、その丸板７ｗと加圧レバー６の間にバネ７ｂが挿嵌されていて、そのバネ７ｂが加圧レバー６の端部を上向きに押圧することにより、抜け止め用円筒５は常に図の反時計周りに回動するように付勢され、その抜け止め用円筒５が固定された保持軸２も、その軸芯の周りに反時計周りに回動するように付勢されている。
【００１９】
なお、この保持軸の回動機構は、前記バネのガイド軸７にＵ溝６ｕの部分で交差した加圧レバー６が、そのバネのガイド軸７の上方に螺合されたダブルナット７ｎに当接することにより、保持軸２のプーリーＰ側への回動が阻止される。なお、前記バネ７ｂのバネ圧の調整は、ガイド軸７を、それが螺合している前記取り付け板３ａに対して上下させることにより、前記丸板７ｗと加圧レバー６の間の距離を変化させることにより調整する。以上が、スクレーパの保持軸２に関する構成である。次に、このスクレーパの保持軸２に取り付けられる、そのスクレーパ１およびその取り付け形態について説明する。
【００２０】
先ず、前記保持軸２の表面には、その一母線に沿って、鋼板で形成された支持板８が立設されている。支持板８は、その側断面が、図２に示すように、「く」の字形状を成しており、その「く」の字の下側の部分を保持軸２の円管の一直径の延長（図に一点鎖線で示す）に沿わせる形で、その下端が溶接で保持軸２に固定されている。
【００２１】
そのような支持板８に取り付ける複数のスクレーパ１は、それぞれウレタンゴムで形成されており、その外形形状は、図５（ａ）に示した従来例のものと同様、「く」の字形状を成し、「く」の字の下側が支持板８への取り付け部１ａであり、「く」の字の上側の一辺の方がクリーニング作用を成す作用部１ｂとなっている。
【００２２】
そして、そのスクレーパ１には、前記支持板８の「く」の字の断面と同じ寸法形状の「く」の字の溝１ｃが取り付け部１ａの下面から上方に向かって形成されている。この溝１ｃは、スクレーパ１の取り付け部１ａの下面、厚み方向中間の位置から、その「く」の字形状の下側の辺が、スクレーパ１の「く」の字の下側の辺に平行な形になるように形成されており、かつ、その溝１ｃの「く」の字の上側の辺の向きはスクレーパ１の「く」の字の上側の辺の向きと反対向きになっている。
【００２３】
スクレーパ１を支持板８に取り付けるには、支持板８の側方から、スクレーパ１を、その溝１ｃに沿って支持板８に挿嵌させて、支持板８と、その両側に被さったスクレーパ１を厚み方向に貫く取り付けボルト８ｂの挿通穴にボルト８ｂを挿通して、ナットを螺合させて固定するようになっている。そのボルト８ｂの頭と、反対側のナットは、スクレーパ１の端面に形成された座繰り穴１ｈの中に埋め込まれ、スクレーパ１の表面には突起が全く存在しないような形態になっている。以上が、スクレーパ１とその保持軸２およびその間に介在する支持板８の構成である。最後に、このクリーナＣ1 の作用について説明する。
【００２４】
クリーナの使用時は、図４に示すような状態になる。スクレーパ１の上縁の当接位置の範囲は、プーリＰの水平方向の直径の一端から、そのプーリＰの円周に沿った僅か下方の位置までが、クリーニング作用、すなわち、ベルトＷ表面の付着物の掻き取り作用に最も効果的な範囲である。クリーニング時、ベルトＷ表面の付着物はスクレーパ１の作用部１ｂの上縁で掻き取られ、掻き取られた付着物はスクレーパ１の、図の右上方へ撥ね飛ばされるが、スクレーパ１とベルトＷの間をぬってきたものは下方に落下し、従来の場合と同様、スクレーパ１の形状が「く」の字状を成していて、その支持板８への取り付け部１ａと作用部１ｂの上縁（ベルトＷに対する当接縁）とが離れているので、スクレーパ１に対する付着物の堆積が起こりにくい。
【００２５】
クリーニングが続くと、スクレーパ１の作用部１ｂのベルトＷに対する当接縁（上縁）は磨耗して行くが、このクリーナＣ1 の保持軸２は前記回動機構によって、そのスクレーパ１の作用部１ｂの上縁がベルトＷを押圧する向きに常に付勢されているので、スクレーパの作用部１ｂの上縁がベルトＷから離れることがなく、クリーニング作用が急に大きく減退することがない。
【００２６】
さらに、この実施形態のクリーナＣ1 の特徴として、そのスクレーパ１の支持板８がスクレーパ１内で、スクレーパ１の「く」の字とは反対向きの「く」の字状を成しているので、ベルトＷとその支持板８の間の部分は、その支持板８の「く」の字の上側の辺８ｐの「面」で支えられるので、現行のクリーナＣ2 （図５（ａ）参照）のスクレーパ１１が断面が「垂直方向の直線」状の支持板１３で支えられるのとは違って、先端の振動が抑制されるので、プーリーＰ側への倒れ込みも抑制され、プーリーＰ、スクレーパ１とも、甚大な損傷を防止することができる。また、振動が抑制されることにより、付着物の掻き取りも効率良く行われる。
【００２７】
【発明の効果】
以上説明したように、この発明は、上記のように構成したので、スクレーパが、保持軸の上に立設された支持板によって支持される形態のクリーナにおいて、スクレーパの振動が抑制されるので、スクレーパのプーリー側への倒れ込みが抑制でき、また、スクレーパの振動の抑制によって、付着物の掻き取りが効率良く行われる、という効果もある。
【図面の簡単な説明】
【図１】実施形態のクリーナの正面図
【図２】図１のＡ−Ａ拡大断面図
【図３】図１の要部斜視図
【図４】実施形態のクリーナの使用状態図
【図５】（ａ）、（ｂ）それぞれに、現行と旧来のクリーナの使用状態を模式的に示したものである。
【符号の説明】
１、１１、２１  スクレーパ
１ａ、１１ａ  取り付け部
１ｂ、１１ｂ  作用部
２、１２、２２  保持軸
６  加圧レバー
８、１３、２３  支持板
Ｃ1 、Ｃ2 、Ｃ3   クリーナ
Ｗ  ベルト
Ｐ  プーリ
【図１】
0003637305.tif 000002
【図２】
0003637305.tif 000003
【図３】
0003637305.tif 000004
【図４】
0003637305.tif 000005
【図５】
0003637305.tif 000006